(57)【要約】【課題】  飛散を防止し且つ大量の雨水を流す箇所においても適用でき、従来にない筒状体の外周面に沿って流下する雨水の様子、特に、雨水の描く波紋を鑑賞することができる商品価値の高い流水鑑賞雨樋装置を提供する。【解決手段】  軒樋１の雨水を集める集水装置２と、筒状体３よりなる縦樋と、下方で流下水を集めて排水管４に排出させる排水装置５とで構成する流水鑑賞雨樋装置６であって、集水装置２で集めた雨水を主として筒状体３の外周面に沿って流下させることを特徴とするものである。【選択図】        図１
2010121428.tif 000002
【特許請求の範囲】
【請求項１】
軒樋の雨水を集める集水装置と、筒状体よりなる縦樋と、下方で流下水を集めて排水管に排出させる排水装置とで構成する流水鑑賞雨樋装置であって、集水装置で集めた雨水を主として筒状体の外周面に沿って流下させることを特徴とする流水鑑賞雨樋装置。
【請求項２】
軒樋の雨水を集水装置に流すに当たって塵流入防止用カバーを通過させることを特徴とする請求項１記載の流水鑑賞雨樋装置。
【請求項３】
筒状体の外面に親水処理が施してあることを特徴とする請求項１又は請求項２記載の流水鑑賞雨樋装置。
【請求項４】
筒状体の下端部を排水装置に設けた下嵌め込み部に抜き取り自在に嵌め込むと共に筒状体の上端部を集水装置に設けた上嵌め込み部に抜き取り自在に嵌め込み、下嵌め込み部の下端に筒状体の最下端が位置した状態で筒状体の上端から上嵌め込み部の上端までの寸法が、下嵌め込み部の下端から上端までの寸法よりも長いことを特徴とする請求項１乃至請求項３のいずれか一項に記載の流水鑑賞雨樋装置。
【請求項５】
集水装置に筒状体の上端部を嵌め込むための上嵌め込み部を設け、該上嵌め込み部に上嵌め込み部に嵌め込んだ筒状体に軒樋の雨水を流すための内側通水用開口を設けると共に、上嵌め込み部の外側に軒樋の雨水を筒状体の外面側に流すための外側通水路を形成することを特徴とする請求項１乃至請求項４のいずれか一項に記載の流水鑑賞雨樋装置。
【請求項６】
内側通水用開口の下端部が軒樋の底面部と略同じ高さとなっていることを特徴とする請求項５記載の流水鑑賞雨樋装置。
【請求項７】
集水装置の主体を構成する排水筒部の内周から内方に向かって複数の縦板状の内向き突部を突設し、該内向き突部の突出先端で囲まれた部分が筒状体の下端部を嵌め込むための下嵌め込み部となり、上記複数の内向き突部の各先端が筒状体の外周面に当接し、隣合う内向き突部間の間隔が排水筒部の内周側に行く程幅広となっていることを特徴とする請求項１乃至請求項６のいずれか一項に記載の流水鑑賞雨樋装置。
【請求項８】
集水装置の主体を構成する排水筒部の内周から内方に向かって複数の縦板状の内向き突部を突設し、該内向き突部の突出先端で囲まれた部分が筒状体の下端部を嵌め込むための下嵌め込み部となり、上記複数の内向き突部の各先端が筒状体の外周面に当接し、内向き突部の上端面の断面形状を山形又は中央部が凸となった上向き弧状となると共に内向き突部の上端面が排水筒部の上端よりも下方に位置していることを特徴とする請求項１乃至請求項７のいずれか一項に記載の流水鑑賞雨樋装置。
【請求項９】
塵流入防止用カバーの上面部に複数の塵除け用突部を突設すると共に塵除け用突部間に通水用開口を設け、上記塵除け用突部の上端面の断面形状を山形又は中央部が凸となった上向き弧状として成ることを特徴とする請求項１乃至請求項８のいずれか一項に記載の流水鑑賞雨樋装置。
【請求項１０】
光触媒で親水処理がしてあることを特徴とする請求項３記載の流水鑑賞雨樋装置。
【請求項１１】
筒状体の外面に縦方向又は横方向の筋状凹条又は筋条突条が形成してあることを特徴とする請求項１乃至請求項１０のいずれか一項に記載の流水鑑賞雨樋装置。
【発明の詳細な説明】
【技術分野】
【０００１】
本発明は、軒樋からの雨水を流しながら流水を鑑賞することができるようにした流水鑑賞雨樋装置に関するものである。
【背景技術】
【０００２】
従来から、軒樋の排水口に集水器を取付け、該集水器に鎖樋の上端部を吊り下げることで鎖樋に沿って雨水を流下させ、雨水の流下する様子が鑑賞できるようにしたものが知られている。
【０００３】
ところが、この従来例にあっては、雨水が流れる際に周辺に飛散するという現象が見られ、更に、雨水が鎖樋を流下する様子も粒状の雨が落ちるようにして流下するものであった。
【０００４】
また、従来鎖樋は敷地入り口付近の門屋、玄関ポーチ等の付近に設けられることが多く、大量の雨水を流す場所には適さず、鎖樋を流下した雨水は容器に受けるか、多くは排水部は設けず自然に垂れ流す手法を用いている。
【０００５】
なお、雨樋装置ではないが、下部水槽からポンプで汲み上げた上部水槽の水を網を伝って流下させて下部水槽に流すことで、網を伝って流れる水の様子を鑑賞することができるようにしたオブジェ装置が特許文献１により知られている。
【０００６】
この特許文献１に示された従来例は、雨樋装置ではなく、しかも、水は網を流れるものであり、仮に、軒樋から排水する水を網を伝って流下させるとしても、鎖樋と同様に、周辺に飛散しやすく、また、大量の雨水を流す場所には適さない。
【特許文献１】特開平６−２６９７１０号公報
【発明の開示】
【発明が解決しようとする課題】
【０００７】
本発明は上記の従来の問題点に鑑みて発明したものであって、飛散を防止し且つ大量の雨水を流す箇所においても適用でき、従来にない雨水の流下する様子を鑑賞でき、しかも、防汚効果に優れて長期間にわたって観賞効果が低下しない流水鑑賞雨樋装置を提供することを課題とするものである。
【課題を解決するための手段】
【０００８】
上記課題を解決するために本発明に係る流水鑑賞雨樋装置６は、軒樋１の雨水を集める集水装置２と、筒状体３よりなる縦樋と、下方で流下水を集めて排水管４に排出させる排水装置５とで構成する流水鑑賞雨樋装置６であって、集水装置２で集めた雨水を主として筒状体３の外周面に沿って流下させることを特徴とするものである。
【０００９】
このような構成とすることで、軒樋１の雨水を集水装置２で集め、集水装置２で集めた雨水を主として筒状体３の外周面に沿って流下させることができて、筒状体３の外周面に沿って流下する雨水を鑑賞することができるようになっている。また、筒状体３の外周面を滑らかに流れ、飛散することがない。また、雨水が筒状体３の外周面に沿って流れる際に、雨水の描く波紋を鑑賞することができる。また、筒状体３を流れる雨水を集めて排水管４に排出するので、大量の雨水を排水することが可能である。
【００１０】
また、軒樋１の雨水を集水装置２に流すに当たって塵流入防止装置７を通過させることが好ましい。
【００１１】
このような構成とすることで、塵流入防止装置７で塵が除去された雨水が筒状体３の外周面に沿って流下することになり、集水装置２の目詰まりを防止してスムーズに筒状体３の外周面に沿って雨水を流下させることができる。
【００１２】
また、筒状体３の外面に親水処理が施してあることが好ましい。
【００１３】
このような構成とすることで、筒状体３の外周面に沿って雨水を流下させる際、雨水が外周面を滑らかに流れて、よりいっそう飛散が防止できる。
【００１４】
また、筒状体３の下端部を排水装置５に設けた下嵌め込み部３８に抜き取り自在に嵌め込むと共に筒状体３の上端部を集水装置２に設けた上嵌め込み部６０に抜き取り自在に嵌め込み、下嵌め込み部３８の下端に筒状体３の最下端が位置した状態で筒状体３の上端から上嵌め込み部６０の上端までの寸法Ｍが、下嵌め込み部３８の下端から上端までの寸法Ｎよりも長いことが好ましい。
【００１５】
このような構成とすることで、筒状体３を上方に持ち上げて筒状体３の下端を下嵌め込み部３８の上端より上にずらした後、筒状体３の上端部を上嵌め込み部６０から下方に抜き取ることで、簡単に筒状体３を取り外し、また上記とは逆の順番で簡単に筒状体３を取付けることができる。これにより、筒状体３を取り外して掃除したり、台風などの際に筒状体３を取り外して被害にあわないようにすることができる。
【００１６】
また、集水装置２に筒状体３の上端部を嵌め込むための上嵌め込み部６０を設け、該上嵌め込み部６０に上嵌め込み部６０に嵌め込んだ筒状体３に軒樋１の雨水を流すための内側通水用開口６１を設けると共に、上嵌め込み部６０の外側に軒樋１の雨水を筒状体３の外面側に流すための外側通水路６２を形成することが好ましい。
【００１７】
このような構成とすることで、軒樋１を流れる雨水を筒状体３の外周面に沿って流すと共に筒状体３の内部を流すことができ、これにより軒樋１を流れる雨水の量が増えても、確実に排水することができ、更に、軒樋１を流れる雨水の量が増えても、筒状体３の外周面に沿って流す雨水の量が多くなりすぎることがなく、筒状体３の外周面に沿って流下する雨水が多くなりすぎて飛散したり、あるいは、多くなりすぎて滑らかに流下しないといったことがなく、筒状体３の外周面に沿って流下する雨水の観賞効果が低下しないようにできる。
【００１８】
また、内側通水用開口６１の下端部が軒樋１の底面部と略同じ高さとなっていることが好ましい。
【００１９】
このような構成とすることで、軒樋１を流れる雨水の量が僅かで勢いが弱い時は外側通水路６２から筒状体３の外周面に流れ、軒樋１を流れる雨水の量が多くなって勢いが強くなるにつれて、外側通水路６２から筒状体３の外周面に流れるだけでなく、筒状体３の上端開口から内部に流入して流れる。これにより、軒樋１を流れる雨水の量が増えて勢いを増すと、その分だけ、より多くの雨水が筒状体３の上端開口に流れ込むことになり、軒樋１を流れる雨水の量が変化しても、筒状体３の外周面には略同じようにして雨水を流すことができ、雨量により筒状体３の外周面に沿って流下する雨水の観賞効果が低下しないようにできる。
【００２０】
また、集水装置２の主体を構成する排水筒部３５の内周から内方に向かって複数の縦板状の内向き突部３７を突設し、該内向き突部３７の突出先端で囲まれた部分が筒状体３の下端部を嵌め込むための下嵌め込み部３８となり、上記複数の内向き突部の各先端が筒状体３の外周面に当接し、隣合う内向き突部３７間の間隔が排水筒部３５の内周側に行く程幅広となっていることが好ましい。
【００２１】
このような構成とすることで、筒状体３の外周面に沿って流れる雨水が筒状体３の下嵌め込み部３８部分で、複数の縦板状の内向き突部３７の両側面に伝わって、両側面に沿って広がるようにして流下する。この場合、隣合う内向き突部３７間の間隔が排水筒部３５の内周側に行く程幅広となっているので、隣接する内向き突部３７の側面に沿って排水筒部３５の内周側に向けて流れながら流下する雨水同士が衝突して乱れることがなく、内向き突部３７を伝ってスムーズに下方に排水できる。
【００２２】
また、集水装置２の主体を構成する排水筒部３５の内周から内方に向かって複数の縦板状の内向き突部３７を突設し、該内向き突部３７の突出先端で囲まれた部分が筒状体３の下端部を嵌め込むための下嵌め込み部３８となり、上記複数の内向き突部３７の各先端が筒状体３の外周面に当接し、内向き突部３７の上端面の断面形状を山形又は中央部が凸となった上向き弧状となると共に内向き突部３７の上端面が排水筒部３５の上端よりも下方に位置していることが好ましい。
【００２３】
筒状体３の外周面に沿って流れる雨水が筒状体３の下嵌め込み部３８部分で、複数の縦板状の内向き突部３７の上端面に伝わると内向き突部３７の上端面の断面形状を山形又は中央部が凸となった上向き弧状となっているため、上端面を排水筒部３５の内周面側に走って流れることなく、上端面に沿って流れる途中で内向き突部３７の側面側に流下することになる。また、内向き突部３７の上端面が排水筒部３５の上端よりも下方に位置しているので、内向き突部３７の上端面を流れて排水筒部３５を越えて外方に飛散することがない。
【００２４】
また、塵流入防止用カバー３０の上面部に複数の塵除け用突部３２を突設すると共に塵除け用突部３２間に通水用開口３１を設け、上記塵除け用突部３２の上端面の断面形状を山形又は中央部が凸となった上向き弧状としてあることが好ましい。
【００２５】
塵流入防止用カバー３０の上面部が平面形状の場合、屋根の軒先から流下する雨水が塵流入防止用カバー３０の上面部に流れ込むと、上面部に衝突して勢いよく飛び散って軒樋１の外に飛散するおそれがあるが、塵流入防止用カバー３０の上面部に複数の塵除け用突部３２を突設してあるので、軒先から流下する雨水が勢い良く飛び散るのが抑制され、また、山形又は中央部が凸となった上向き弧状となった部分に沿ってスムーズに塵除け用突部３２間の通水用開口３１側に雨水を流すことができる。
【００２６】
また、光触媒で親水処理がしてあることが好ましい。
【００２７】
このような構成とすることで、光触媒の超親水性により筒状体３の外周面に沿って雨水を流下させる際、飛散を防止しながら雨水が外周面に沿って波紋を形成しながら滑らかに流れて、雨水の流れの観賞効果を向上させ、また、雨水が外周面に沿って波紋を形成しながら流れて鑑賞効果を発現している際に、同時に光触媒により筒状体に付着している汚れを浮き出して流すことができる。ここで、筒状体３に汚れが付着していると、筒状体３の外面に沿った雨水の滑らかな流れが阻害されて、波紋が形成されず、雨水の流れの鑑賞効果が低下するが、本発明にあっては、汚れを浮き出して洗い流すので、長期間にわたって、雨水の流れの鑑賞効果が低下しない。
【００２８】
また、筒状体３の外面に縦方向又は横方向の筋状凹条４２又は筋条突条が形成してあることが好ましい。
【００２９】
このような構成とすることで、筒状体３の外面に沿って雨水が流下する際、雨水が筋状凹条４２又は筋条突条に沿って流れて、変化のあるより鑑賞効果に優れた雨水の流れを現出できると共に、よりいっそう飛散が防止できる。
【発明の効果】
【００３０】
本発明は、上記のように、軒樋の雨水を集める集水装置と、筒状体よりなる縦樋と、下方で流下水を集めて排水管に排出させる排水装置とで構成する流水鑑賞雨樋装置であって、集水装置で集めた雨水を主として筒状体の外周面に沿って流下させるものであるから、飛散を防止し且つ大量の雨水を流す箇所においても適用でき、従来にない筒状体の外周面に沿って流下する雨水の様子、特に、雨水の描く波紋を鑑賞することができる商品価値の高い流水鑑賞雨樋装置を提供できる。
【発明を実施するための最良の形態】
【００３１】
以下、本発明を添付図面に示す実施形態に基いて説明する。
【００３２】
本発明の流水鑑賞雨樋装置６は、図６の分解斜視図に示すように、軒樋１の雨水を集める集水装置２と、筒状体３よりなる縦樋と、下方で流下水を集めて排水管４に排出させる排水装置５と、塵流入防止装置７とで構成してある。
【００３３】
図７に集水装置を示している。また、図９乃至図１３には集水装置２を構成する各部品が示してあり、この集水装置２は、軒樋１の排水口８に取付ける本体部９と、本体部９に対して着脱自在に取付けられる着脱下部１０とを備えている。
【００３４】
本体部９は本体上部９ａと、本体下部９ｂとで構成してある。
【００３５】
本体上部９ａは図９、図１０に示すように、外周部に雄ねじ部１１を有する筒部１２の上端開口部に外側方に向けて鍔部１３を設け、筒部１２の内周面から内方に突出した縦板状の複数の突片部１４の上端部を筒部１２から上方に突出させてある。また、隣合う突片部１４の間が排水通路部１６となっている。
【００３６】
複数の突片部１４の先端は、筒部１２内に縦樋支持部１５に縦樋である筒状体３の上端部を嵌め込んだ際に、突片部１４の先端部が筒状体３の外面に当接して筒状体３を支持するようになっており、本実施形態においては複数の突片部１４の先端部で縦樋支持部１５が構成してあり、各縦樋支持部１５により囲まれた部分が筒状体３よりなる縦樋の上端部を嵌め込むための上嵌め込み部６０となっている。
【００３７】
複数の突片部１４の上端部はオーバーフロー部となる中央筒部１７に一体に連設してあり、該中央筒部１７は上記のように縦樋支持部１５に囲まれた部分である上嵌め込み部６０に筒状体３の上端部を嵌め込んで支持した際に筒状体３の上端開口と対向するようになっており、中央筒部１７の上部は下部よりも径が大きくなっている。
【００３８】
ここで、上記各縦樋支持部１５により囲まれた部分である上嵌め込み部６０には上嵌め込み部６０に筒状体３よりなる縦樋の上端部を嵌め込んだ際に雨水を筒状体３の上端開口に流すための内側通水用開口６１が設けてある。
【００３９】
添付図面に示す実施形態においては、前記排水通路部１６の上部が共通通路部６３となり、下部が外側通水路６２となっていて、共通通路部６３の内側端部（突片部１４の先端の縦樋支持部１５間の開口）が上嵌め込み部６０における内側通水用開口６１となっている。
【００４０】
また、添付図面に示す実施形態では、中央筒部１７の開口も内側通水用開口６１となっていて、軒樋１を流れる雨水の雨量が多く、水位が中央筒部１７よりも高くなった場合は、中央筒部１７の開口からオバーフローして筒状体３内に流れるようになっている。
【００４１】
本体下部９ｂは図１１に示すように、外側筒部１８の上端部と内側筒部１９の上端部とを一体に連設すると共に外側筒部１８の上端外周から外側方に向けて鍔部２０を設け、内側筒部１９の内周面に雌ねじ部２１を設け、内側筒部１９の下部と外側筒部１８との間に下方が開口した嵌め込み凹所２２が形成してある。
【００４２】
着脱下部１０は図１２、図１３に示すように、内周に雌ねじ部２３を有する上筒部２４の下端部に集水ガイド部２５を設け、更に、上筒部２４の下端部から集水ガイド部２５の外方を覆うようにカバー筒部２４ａを下方に向けて突設してある。
【００４３】
集水ガイド部２５は、図１２に示すように、上筒部２４の下端から内側に向かって先端側が下と成るように傾斜した逆円錐台形状をした逆円錐台筒部２９と逆円錐台筒部２９の下端縁部の周部から先端側が下となるように傾斜した多数のくし部２６を突出して構成してあり、くし部２６間が上下及び先端側に開口したスリット２８となっており、また、多数のくし部２６の先端で囲まれる部分が縦樋である筒状体３を嵌挿する縦樋嵌挿部２７となっている。
【００４４】
上記くし部２６間のスリット２８のスリット巾は１．５〜３ｍｍとなっている。
【００４５】
また、多数のくし部２６は、図１２に示すように、平面視において内側への突出長さの異なるものが混在しており、図１２の実施形態では突出長さの長いくし部２６ａと突出長さの短いくし部２６ｂとが周方向に交互に設けてある。突出長さの長いくし部２６ａは、縦樋嵌挿部２７に筒状体３を嵌挿した状態で突出長さの長いくし部２６ａの先端が筒状体３の外面に当接するか又は両者の間に１ｍｍ以下の隙間が生じるように設定してあり、また、突出長さの短いくし部２６ｂは、縦樋嵌挿部２７に筒状体３を嵌挿した状態で突出長さの短いくし部２６ｂの先端と筒状体３の外面との間に１．５〜３ｍｍの隙間が生じるように設定してある。
【００４６】
カバー筒部２４ａの下端はくし部２６の下端と同じ高さ又はくし部２６下端よりも下となっている。
【００４７】
ここで、くし部２６間のスリット２８のスリット巾を１．５〜３ｍｍとし、突出長さの短いくし部２６ｂの先端と筒状体３の外面との間に１．５〜３ｍｍの隙間が生じるように設定したのは、スリット２８、隙間を通して筒状体３の外周面にほぼ均一に雨水を流すことができるようにするためである。
【００４８】
スリット２８、隙間の巾が３ｍｍを超えると、スリット２８を流れる雨水がスリット２８に沿って筒状体３側に流れることなくスリット２８の上部から直接スリット２８を通過して落下して飛散したり、あるいは、筒状体３の外周面の周方向の一部を集中して雨水が流下して周方向にほぼ均一に雨水を流下させることができないためである。また、スリット２８、隙間の巾が１．５ｍｍに満たないと、スリット２８や隙間がつまり易く、スムーズに筒状体３の外周面に雨水を流すことができないのでスリット２８、隙間の巾が１．５ｍｍ以上確保する必要がある。
【００４９】
上記の構成の集水装置２は、軒樋１の排水口８に取付ける。
【００５０】
すなわち、排水口８に上方から本体上部９ａの筒部１２を挿入して、筒部１２を軒樋１の下方に突出させると共に鍔部１３を軒樋１の底部上面に当接する。この状態で、筒部１２の雄ねじ部１１に本体下部９ｂの内側筒部１９の雌ねじ部２１を螺合し、鍔部２０を軒樋１の底部下面に押し当て、鍔部１３、２０で軒樋１の底部を上下より挟着する。この状態で、雌ねじ部２１は雄ねじ部１１の上部に螺合される。このようにして本体上部９ａと本体下部９ｂとよりなる本体部９を軒樋１の排水口８部分に取付ける。
【００５１】
次に、着脱下部１０の上筒部２４の雌ねじ部２３を本体上部９ａの雄ねじ部１１の下部に着脱自在に螺合し、着脱下部１０の上筒部２４の上端部を本体下部９ｂの嵌め込み凹所２２に嵌め込むことで、着脱下部１０を本体部９に対して着脱自在に取付ける。
【００５２】
上記のように軒樋１の排水口８に集水装置２を取付けるのであるが、軒樋１の排水口８は更に軒樋１内において塵流入防止装置７を構成する塵流入防止用カバー３０で覆われるようになっている。
【００５３】
塵流入防止用カバー３０は図１５に示すようなもので、下面が開口し、側周面及び上面に多数の通水用開口３１を設けあり、更に、上面部の下面の中央から下方に向けて弾性を有する係止脚３３を突設して構成してある。
【００５４】
上記塵流入防止用カバー３０は軒樋１内において、集水装置２を取付けた排水口８を覆うように配設されるもので、係止脚３３を中央筒部１７に挿入して係止脚３３の下端の係止部３４を中央筒部１７の下端開口縁に着脱自在に係止することで取付けるようになっている。
【００５５】
塵流入防止用カバー３０に設けた通水用開口３１は開口巾が１．５ｍｍ〜３ｍｍに設定してある。
【００５６】
すなわち、従来から軒樋１の排水口８を覆う塵流入防止用カバーは、通水用開口の開口巾が５〜１５ｍｍ程度と大きく、落ち葉を避けることは可能であるが、巾あるいは径が５〜１５ｍｍ以下の塵等はそのまま流れるようにしている。
【００５７】
しかし、本発明のように筒状体３の外周面に沿って流下する雨水の様子を鑑賞することができるようにした流水鑑賞雨樋装置６においては、集水装置２で集水した雨水を筒状体３の外周面の周方向にほぼ均一に流す必要があり、このため、本発明においては前述のように、くし部２６間のスリット２８のスリット巾を１．５〜３ｍｍとし、突出長さの短いくし部２６ｂの先端と筒状体３の外面との間に１．５〜３ｍｍの隙間が生じるように設定したので、これに対応して、塵流入防止用カバー３０の通水用開口３１の開口巾を１．５ｍｍ〜３ｍｍに設定し、上記筒状体３の外周面に雨水をほぼ均一に流下させるためのスリット２８や隙間を塞ぐ大きさの塵（例えば、落ち葉、昆虫、粉塵、その他）が集水装置２内に流込まないようにし、スリット２８や隙間の目詰まりを抑制するようになっている。また、上記塵流入防止用カバー３０の通水用開口３１の開口巾と、くし部２６間のスリット２８のスリット巾及び、突出長さの短いくし部２６ｂの先端と筒状体３の外面との間の隙間の巾とを同じ寸法にすると、塵流入防止用カバー３０の通水用開口３１を通過した小さな塵はスリット２８、突出長さの短いくし部２６ｂの先端と筒状体３の外面との間の隙間かを通過して流れ、スリット２８や隙間に、よりいっそう塵が詰まることがない。
【００５８】
塵流入防止用カバー３０の側周面及び上面には通水用開口３１よりも外方に突出する複数の塵除け用突部３２が突出している。塵流入防止用カバー３０の側周面部のうち軒樋１の長手方向と交差する両側面に複数の塵除け用突部３２を突出した状態で、図１５（ａ）に示すように、両側面に突設した複数の塵除け用突部３２を結んだ仮想線が円弧状となるように構成してある。また、隣接する塵除け用突部３２間の間隔は上記通水用開口３１の開口巾よりも広く設定してあり、塵除け用突部３２の突出先端部は面取りがしてある。
【００５９】
これにより、例えば落ち葉などが塵除け用突部３２により集水装置２内に流れ込むのが防止されるが、両側面に突設した複数の塵除け用突部３２を結んだ仮想線が円弧状となるように構成してあるので、落ち葉が塵除け用突部３２の先端面に張り付くことがなく、また、雨水は落ち葉などが引っ掛かっても、引っ掛かっている部分以外の部分から通水用開口３１の開口巾よりも広い塵除け用突部３２間の空間に流れ込んで、上記開口巾の狭い通水用開口３１を通って滑らかに集水装置２内に流入することができる。
【００６０】
また、塵流入防止用カバー３０の上面部が平面形状であると、屋根の軒先から流下する雨水が塵流入防止用カバー３０の上面部に流れ込むと、上面部に衝突して勢いよく飛び散って軒樋１の外に飛散するおそれがある。しかしながら、上記のように、塵流入防止用カバー３０の上面部に複数の塵除け用突部３２を突設してあるので、軒先から流下する雨水が勢い良く飛び散るのが抑制されることになる。ここで、塵除け用突部３２は上端面の断面形状が山形又は中央部が凸となった上向き弧状となっており、塵除け用突部３２は上端面に流下した雨水は山形又は弧状となった傾斜面に沿ってスムーズに塵除け用突部３２間の通水用開口３１側に流れることになり、雨水の飛散を防止することができる。
【００６１】
塵流入防止用カバー３０は、係止脚３３の下端の係止部３４と中央筒部１７の下端開口縁との係止を解除することで簡単に取り外して簡単に塵流入防止用カバー３０に引っ掛かった塵を除去することができる。ここで、係止部３４は矢尻形状をしているが、矢尻の先端部は返し部がなく、着脱を容易にしている。
【００６２】
また、塵流入防止用カバー３０が上記のように着脱自在であるため、集水装置２における中央筒部１７の形状を共通化することで、排水容量の異なる集水装置にも着脱自在に取付けることができる。
【００６３】
筒状体３よりなる縦樋は外面に処理が施してあるものを用いるのが好ましい。
【００６４】
筒状体３は上端部を集水装置２の多数のくし部２６の先端で囲まれる部分である縦樋嵌挿部２７に嵌挿し、更に縦樋支持部１５に嵌め込み、更に、最上端を嵌め込み凹所２２にはめ込んである。
【００６５】
また、排水装置５は図１４に示すようなもので、主体を構成する排水筒部３５には筒状体３よりも大径の孔を設けてあり、この孔の上端部が該孔の他の部分よりも更に大径の大径孔部３６となり、排水筒部３５の孔の上記大径孔部３６を除いた部分の内周から内方に向けて複数の縦板状をした内向き突部３７が突設してある。複数の内向き突部３７は上記孔の周方向に一定ピッチで突設してあって内向き突部３７間が排水用隙間４９となっている。
【００６６】
複数の内向き突部３７は放射状（排水筒部３５の中心部を中心とした放射状）をしており、隣接する内向き突部３７間の間隔が排水筒部３５の内周側に行く程幅広となっている。
【００６７】
また、内向き突部３７の上端面の断面形状を山形又は中央部が凸となった上向き弧状となっており、更に、内向き突部３７の上端面が排水筒部３５の上端よりも下方に位置している。
【００６８】
この複数の内向き突部３７の上下方向の上半分は下半分よりも突出長さが短くなっており、複数の内向き突部３７の上下方向の上半分の各先端は筒状体３の外径と同じ径の仮想円上に位置していて、該複数の内向き突部３７の上下方向の上半分の各先端で囲まれた部分が筒状体３の下端部を嵌め込むための下嵌め込み部３８となっている。また、内向き突部３７の上下方向の上半分の先端の下端と下半分の先端の上端とは段部３９で連続している。
【００６９】
排水筒部３５には下方に開口する下嵌め込み用凹部４０が形成してある。
【００７０】
排水装置５の上記下嵌め込み部３８には筒状体３の下端部が抜き取り自在にはめ込まれて支持される。この場合、筒状体３の下端面が段部３９に載置される。したがって、筒状体３の外周面に沿って流れた雨水は排水筒部３５の孔の内周部に突設した内向き突部３７間の排水用隙間４９を通って排水されることになる。
【００７１】
添付図面に示す実施形態では、排水筒部３５の下嵌め込み用凹部４０には筒体よりなる調整部材４１の上端部が嵌め込まれ、該調整部材４１の下端部に排水管４の上端が嵌め込まれるようになっている。
【００７２】
調整部材４１は図１、図３、図６に示すように、上偏芯用部材５０と、下偏芯用部材５１とで構成してあり、上偏芯用部材５０は排水筒部３５の下嵌め込み用凹部４０に回転自在に嵌め込まれる嵌め込み筒部５２の下部に嵌め込み筒部５２に対して偏芯した接続筒部５３を一体に形成したものであり、下偏芯用部材５１は接続筒部５３に回転自在に嵌め込んで接続される被接続筒部５４の下部に被接続筒部５４に対して偏芯した排水管接続筒部５５とで構成してあり、排水管接続筒部５５に排水管４の上端を嵌め込むようになっている。
【００７３】
そして、上偏芯用部材５０の嵌め込み筒部５２を筒状体３に対して回転し、接続筒部５３に対して被接続筒部５４を回転し、排水管４に対して排水管接続筒部５５を回転することで、集水装置２に上端を接続した縦樋である筒状体３と排水管４とが平面視で位置ずれして芯ずれしている場合でも接続することができる。
【００７４】
もちろん、調整部材４１を用いることなく下嵌め込み用凹部４０に直接排水管４の上端部を嵌め込んでもよい。
【００７５】
ここで、筒状体３の下端部を排水装置５に設けた下嵌め込み部３８に嵌め込んで支持すると共に、筒状体３の上端部を集水装置２に設けた上嵌め込み部６０に嵌め込んで支持することにつき更に説明する。
【００７６】
図１に示す実施形態では、筒状体３の下端部を排水装置５に設けた下嵌め込み部３８に抜き取り自在に嵌め込むと共に筒状体３の上端部を集水装置２に設けた上嵌め込み部６０に抜き取り自在に嵌め込んだ際に、下嵌め込み部３８の下端に筒状体３の最下端が位置した状態で筒状体３の上端から上嵌め込み部６０の上端までの寸法Ｍが、下嵌め込み部３８の下端から上端までの寸法Ｎよりも長くなるように筒状体３の長さを設定してある。
【００７７】
これにより筒状体３を上方に持ち上げて筒状体３の下端を下嵌め込み部３８の上端より上にずらした後、筒状体３の上端部を上嵌め込み部６０から下方に抜き取ることで、いわゆる「けんどん方式」で簡単に筒状体３を取り外して筒状体３の掃除、点検等ができ、また、台風等の際には筒状体３を簡単に取り外して筒状体３が台風等の被害にあわないようにすることができる。筒状体３の取付けに当たっては、上記と逆の順番で取付けることができる。
【００７８】
もちろん、本発明においては、これにのみ限定されず、筒状体３が取り外せないようにしたのものであってもよい。
【００７９】
上記のように組み合せ接続されることで構成される本発明の流水鑑賞雨樋装置６は、軒樋１を流れる雨水が塵流入防止用カバー３０の通水用開口３１から、集水装置２の排水通路部１６の上部の共通通路部６３内に流入する。軒樋１から流入する雨水の量が少ない場合は、共通通路部６３内に流入する雨水の勢いが弱いので、雨水が内側通水用開口６１まで至らず、ほぼ全量が排水通路部１６の上部の共通通路部６３からそのまま下部の外側通水路６２に流下し、集水ガイド部２５に流れ込む。集水ガイド部２５に流れた雨水は一部が複数の下り傾斜したくし部２６上面に沿って筒状体３の外周面側に整流されながら流れると共に一部が複数のスリット２８を伝って筒状体３の外周面側に整流されながら流れ、くし部２６の先端と筒状体３の外面との間の隙間及びスリット２８の先端から筒状体３の外周面の周方向の略全周にわたって略均一に雨水が流れる。
【００８０】
また、軒樋１から流入する雨水の量が多くなると、排水通路部１６の上部の共通通路部６３内に流入する雨水の勢いが強くなり、一部の雨水は前述のように、排水通路部１６の上部の共通通路部６３からそのまま下部の外側通水路６２に流下して、筒状体３の外周面側に流れるが、残りは勢いが強いため内側通水用開口６１に至って、内側通水用開口６１から筒状体３の上端開口に流れ込んで排水される。
【００８１】
したがって、軒樋１から流れ込む雨水の量が多くなっても大量の雨水が筒状体３の外周面側に流れ込まず、大量の雨水が筒状体３の外周面を流下して周囲に飛散するのを防止することができる。また、筒状体３の外周面に沿って雨水が流下する際に流下する雨水の量が多くなりすぎて滑らかに流下しないといったことがなく、筒状体３の外周面に沿って流下する雨水の観賞効果が低下しないようにできる。
【００８２】
内側通水用開口６１の下端部が軒樋１の底面部と略同じ高さ（内側通水用開口６１の下端部が軒樋１の底面部が同じ高さだけでなく、図１に示す実施形態のように、上嵌め込み部６０に嵌め込んだ際の筒状体３の上端の位置が軒樋１の底面部よりやや低い場合、あるいは、図示を省略しているが、上嵌め込み部６０に嵌め込んだ際の筒状体３の上端の位置が軒樋１の底面部よりやや高い場合を含む）とするのが好ましい。この場合は、軒樋１を流れる雨水の量が僅かで勢いが弱い時は外側通水路６２から筒状体３の外周面に流れ、軒樋１を流れる雨水の量が多くなって勢いが強くなるにつれて、外側通水路６２から筒状体３の外周面に流れるだけでなく、筒状体３の上端開口から内部に流入して流れる。
【００８３】
これにより、軒樋１を流れる雨水の量が増えて勢いを増すと、その分だけ、より多くの雨水が筒状体３の上端開口に流れ込むことになり、軒樋１を流れる雨水の量が変化しても、よりいっそう筒状体３の外周面に略同じようにして雨水を流すことができ、雨量により筒状体３の外周面に沿って流下する雨水の観賞効果が低下しないようにできる。
【００８４】
このようにして筒状体３の上端部の外周面の周方向の略全周にわたって略均等に流れた雨水は、飛散することなく筒状体３の外周面の全周を薄い膜のようにして筒状体３の外周面に沿って滑らかに流下するものであり、従来の鎖樋では得られない飛散防止と、雨水が膜状になって筒状体３の外周面を流下する雨水の流下の様子を鑑賞できる。
【００８５】
この場合、くし部２６の先端と筒状体３の外面との間の隙間及びスリット２８の先端から筒状体３の外周面の周方向の略全周にわたって略均一に雨水が流れるとは言え、隙間及びスリット２８の先端から筒状体３に流れる雨水の微妙な変化により、図１６に示すように筒状体３の外周面を流れる雨水の膜に流紋が生じ、筒状体３の外周面を膜状となって流下する雨水の流下の鑑賞効果を上げることができる。
【００８６】
筒状体３の外側に親水処理材を塗装したり、親水性を付与したコーティング材を塗布する等して筒状体３の外周面に親水処理加工が施してあると、筒状体３の外周面に沿って流下する雨水の飛散をより防止して外周面に沿って滑らかに流下させることができる。
【００８７】
筒状体３は金属又は合成樹脂により形成する。金属製の場合、例えば、アルミニュウム製の筒を挙げることができるが、必ずしもこれにのみ限定されない。
【００８８】
いずれにせよ金属又は合成樹脂製の筒状体３の外面に親水処理をすると雨水を筒状体３の外面に沿って流す際に、波紋を確実に形成することができる。
【００８９】
筒状体３の外周面を親水処理するに当たっては、例えば、筒状体３の外面に酸化チタンのような光触媒効果のある光触媒を含む塗膜を形成する。
【００９０】
光触媒は超親水性を有しているため、筒状体３の外周面に沿って雨水を流下させる際、飛散を防止しながら雨水が外周面に沿って薄膜を形成しながら流下し、しかも波紋を確実に形成しながら滑らかに流れる。これにより、飛散を防止効果が向上するだけでなく、波紋が確実に形成できるので雨水の流れの観賞効果がよりいっそう向上する。しかも、光触媒は防汚効果があるため上記のように雨水が外周面に沿って波紋を形成しながら流れて鑑賞効果を発現している際に、同時に光触媒により筒状体３に付着している汚れを浮き出して雨水により洗い流すことができる。
【００９１】
ここで、筒状体３に汚れが付着していると、筒状体３の外面に沿った親水性処理による雨水の滑らかな流れが阻害されて、綺麗な波紋が形成され難く、雨水の流れの鑑賞効果が低下するおそれがあるが、本発明においては、上記のように光触媒により汚れを浮き出して洗い流すので、長期間にわたって、親水性処理による綺麗な波紋を生じながら雨水を流すことができて、雨水の流れの鑑賞効果が低下しないようにできる。
【００９２】
また、図１７（ａ）のように筒状体３の外面に縦方向に長い筋状凹条４２又は筋状突条を周方向に複数列形成したり、あるいは、図１７（ｂ）のように筒状体３の横方向（周方向）の筋状凹条４２又は筋条突条を上下に複数一定間隔で形成してもよい。
【００９３】
このように筒状体３の外面に筋状凹条４２又は筋状突条を形成することで、筒状体３の外面に沿って雨水が流下する際、雨水が筋状凹条４２又は筋条突条に沿って流れて、変化のあるより鑑賞効果に優れた雨水の流れを現出できる。しかも、雨水が筒状体３の外面を薄膜となって流下する際に、薄膜の一部が筋状凹条４２又は筋条突条に沿って流れるため、薄膜の筒状体３への接触抵抗が大きくなって、よりいっそう飛散が防止できることになり、雨水の流下の鑑賞効果が向上する。
【００９４】
筒状体３の外周面を膜状となって流下する雨水は、排水装置５に流れて排水される。
【００９５】
筒状体３の外周面を膜状となって流下する雨水は、排水装置５に設けた下嵌め込み部３８部分において、筒状体３の外周面から図８矢印のように、放射状をした複数の縦板状の内向き突部３７の両側面に伝わって、両側面に沿って膜状に広がるようにして滑らかに流下して排水筒部３５から排水管４に流れ（調整部材４１がある場合は調整部材４１を介して排水管４に流れ）、排水される。隣合う内向き突部３７間の間隔が排水筒部３５の内周側に行く程幅広となっているので、隣接する内向き突部３７の側面に沿って排水筒部３５の内周側に流れながら流下する雨水同士が内向き突部３７間に形成される排水用隙間４９内で乱れて衝突することがなく、排水装置５部分における雨水の飛散を防止すると共に雨水の流下の様子を観賞する観賞効果が低下しないようになっている。
【００９６】
また、内向き突部３７の上端面の断面形状を山形又は中央部が凸となった上向き弧状となっているため、筒状体３の外周面から内向き突部３７の上端面に雨水が伝わると、図８の矢印のように内向き突部３７の上端面に伝わった雨水は、上端面を排水筒部３５の内周面側に走って流れることなく、途中で内向き突部３７の側面側に流れることになる。また、内向き突部３７の上端面が排水筒部３５の上端よりも下方に位置しているので、内向き突部３７の上端面を流れて排水筒部３５を越えて外方に飛散することがない。
【００９７】
また、縦板状の内向き突部３７に伝わらなかった雨水は筒状体３の下端部の外周面をそのまま膜状となって流れて排水管４に流れる。
【００９８】
更に、筒状体３の内部を流下した雨水は、筒状体３の下端開口から排水筒部３５の下半分の中央部をそのまま流下して排水管４に流れ（調整部材４１がある場合は調整部材４１を介して排水管４に流れ）、排水される。
【００９９】
筒状体３の外周面を膜状となって流下する雨水は排水装置５の排水用隙間４９に流れ、排水管４に流れ（調整部材４１がある場合は調整部材４１を介して排水管４に流れ）、排水される。
【０１００】
軒樋１内を流れる雨水が多くなり、塵流入防止用カバー３０を通過した雨水が中央筒部１７の上端を越えると、雨水の一部は中央筒部１７の上開口から流入し、中央筒部１７から直接筒状体３の上開口内に流入して筒状体３内を通り、排水管４に流れ（調整部材４１がある場合は調整部材４１を介して排水管４に流れ）、排水される。もちろん、この場合も、前述と同様にして筒状体３の外周面に沿って流下する。
【０１０１】
このようにして、軒樋１を流れる雨水を集水装置２で集水して集水装置２に上端部を嵌め込み保持した筒状体３の外周面に沿って流下させ（軒樋１を流れる雨水の量が多い場合は一部を筒状体３内を流下させ）、筒状体３の外周面に沿って流れる雨水を筒状体３よりも径の大きい孔を有する排水装置５を介して排水管４に排水されるので、筒状体３の外周面に沿って流下した雨水が垂れ流しにされることなく、排水管４に流され、雨水の量が多くなっても、確実に排水できるものであり、したがって、本発明の流水鑑賞雨樋装置６は、敷地入り口付近の門屋、玄関ポーチ等の付近はもちろん、大量の雨水を流す場所であっても支障なく用いることができる。
【図面の簡単な説明】
【０１０２】
【図１】本発明の流水鑑賞雨樋装置の正面断面図である。
【図２】同上の正面図である。
【図３】同上の側面図である。
【図４】同上の平面図である。
【図５】同上の施工状態の斜視図である。
【図６】同上の一部省略分解斜視図である。
【図７】同上の集水装置を示し、（ａ）は一部破断斜視図であり、（ｂ）は断面図であり、（ｃ）は斜視図である。
【図８】同上の筒状体の外周面から排水装置に設けた内向き突部に雨水が伝わって流下することを説明する説明図である。
【図９】同上に用いる本体上部を示し、（ａ）は平面図であり、（ｂ）は正面断面図であり、（ｃ）は異なる位置で切断した断面図であり、（ｄ）は下面図である。
【図１０】（ａ）は同上の本体上部を上方から見た斜視図であり、（ｂ）は下方から見た斜視図である。
【図１１】同上の本体下部を示し、（ａ）は平面図であり、（ｂ）は正面図であり、（ｃ）は正面断面図である。
【図１２】同上に用いる着脱下部を示し、（ａ）は平面図であり、（ｂ）は正面断面図であり、（ｃ）は下面図である。
【図１３】（ａ）は同上の着脱下部を下方から見た斜視図であり、（ｂ）は上方から見た斜視図である。
【図１４】同上に用いる排水装置を示し、（ａ）は平面図であり、（ｂ）は断面図である。
【図１５】同上に用いる塵流入防止用カバーを示し、（ａ）は平面図であり、（ｂ）は正面断面図であり、（ｃ）は側面断面図であり、（ｄ）は斜視図である。
【図１６】同上の筒状体の外周面に沿って雨水が流下している際に発生する波紋を示す斜視図である。
【図１７】（ａ）は同上の筒状体の外面に縦方向の筋状凹条又は筋状突条を形成した例の斜視図であり、（ｂ）は筒状体の外面に横方向の筋状凹条又は筋状突条を形成した例の斜視図である。
【符号の説明】
【０１０３】
１  軒樋
２  集水装置
３  筒状体
４  排水管
５  排水装置
６  流水鑑賞雨樋装置
７  塵流入防止装置
８  排水口
【図１】
2010121428.tif 000003
【図２】
2010121428.tif 000004
【図３】
2010121428.tif 000005
【図４】
2010121428.tif 000006
【図５】
2010121428.tif 000007
【図６】
2010121428.tif 000008
【図７】
2010121428.tif 000009
【図８】
2010121428.tif 000010
【図９】
2010121428.tif 000011
【図１０】
2010121428.tif 000012
【図１１】
2010121428.tif 000013
【図１２】
2010121428.tif 000014
【図１３】
2010121428.tif 000015
【図１４】
2010121428.tif 000016
【図１５】
2010121428.tif 000017
【図１６】
2010121428.tif 000018
【図１７】
2010121428.tif 000019
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
軒樋の雨水を集める集水装置と、筒状体よりなる縦樋と、下方で流下水を集めて排水管に排出させる排水装置とで構成する流水鑑賞雨樋装置であって、集水装置に筒状体の上端部を嵌め込むための上嵌め込み部を設け、該上嵌め込み部に上嵌め込み部に嵌め込んだ筒状体に軒樋の雨水を流すための内側通水用開口を設けると共に、上嵌め込み部の外側に軒樋の雨水を筒状体の外面側に流すための外側通水路を形成し、集水装置で集めた雨水を主として外側通水路を経て筒状体の上記上嵌め込み部への嵌め込み部分よりも下方において当該筒状体の外周面に沿って流下させることを特徴とする流水鑑賞雨樋装置。
【請求項２】
軒樋の雨水を集水装置に流すに当たって塵流入防止用カバーを通過させることを特徴とする請求項１記載の流水鑑賞雨樋装置。
【請求項３】
筒状体の外面に親水処理が施してあることを特徴とする請求項１又は請求項２記載の流水鑑賞雨樋装置。
【請求項４】
筒状体の下端部を排水装置に設けた下嵌め込み部に抜き取り自在に嵌め込むと共に筒状体の上端部を集水装置に設けた上嵌め込み部に抜き取り自在に嵌め込み、下嵌め込み部の下端に筒状体の最下端が位置した状態で筒状体の上端から上嵌め込み部の上端までの寸法が、下嵌め込み部の下端から上端までの寸法よりも長いことを特徴とする請求項１乃至請求項３のいずれか一項に記載の流水鑑賞雨樋装置。
【請求項５】
内側通水用開口の下端部が軒樋の底面部と略同じ高さとなっていることを特徴とする請求項１乃至請求項４のいずれか一項に記載の流水鑑賞雨樋装置。
【請求項６】
排水装置の主体を構成する排水筒部の内周から内方に向かって複数の縦板状の内向き突部を突設し、該内向き突部の突出先端で囲まれた部分が筒状体の下端部を嵌め込むための下嵌め込み部となり、上記複数の内向き突部の各先端が筒状体の外周面に当接し、隣合う内向き突部間の間隔が排水筒部の内周側に行く程幅広となっていることを特徴とする請求項１乃至請求項５のいずれか一項に記載の流水鑑賞雨樋装置。
【請求項７】
排水装置の主体を構成する排水筒部の内周から内方に向かって複数の縦板状の内向き突部を突設し、該内向き突部の突出先端で囲まれた部分が筒状体の下端部を嵌め込むための下嵌め込み部となり、上記複数の内向き突部の各先端が筒状体の外周面に当接し、内向き突部の上端面の断面形状を山形又は中央部が凸となった上向き弧状となると共に内向き突部の上端面が排水筒部の上端よりも下方に位置していることを特徴とする請求項１乃至請求項６のいずれか一項に記載の流水鑑賞雨樋装置。
【請求項８】
塵流入防止用カバーの上面部に複数の塵除け用突部を突設すると共に塵除け用突部間に通水用開口を設け、上記塵除け用突部の上端面の断面形状を山形又は中央部が凸となった上向き弧状として成ることを特徴とする請求項１乃至請求項７のいずれか一項に記載の流水鑑賞雨樋装置。
【請求項９】
光触媒で親水処理がしてあることを特徴とする請求項３記載の流水鑑賞雨樋装置。
【請求項１０】
筒状体の外面に縦方向又は横方向の筋状凹条又は筋条突条が形成してあることを特徴とする請求項１乃至請求項９のいずれか一項に記載の流水鑑賞雨樋装置。
【手続補正２】
【補正対象書類名】明細書
【補正対象項目名】０００８
【補正方法】変更
【補正の内容】
【０００８】
上記課題を解決するために本発明に係る流水鑑賞雨樋装置６は、軒樋１の雨水を集める集水装置２と、筒状体３よりなる縦樋と、下方で流下水を集めて排水管４に排出させる排水装置５とで構成する流水鑑賞雨樋装置６であって、集水装置２に筒状体３の上端部を嵌め込むための上嵌め込み部６０を設け、該上嵌め込み部６０に上嵌め込み部６０に嵌め込んだ筒状体３に軒樋１の雨水を流すための内側通水用開口６１を設けると共に、上嵌め込み部６０の外側に軒樋１の雨水を筒状体３の外面側に流すための外側通水路６２を形成し、集水装置２で集めた雨水を主として外側通水路６２を経て筒状体３の上記上嵌め込み部６０への嵌め込み部分よりも下方において当該筒状体３の外周面に沿って流下させることを特徴とするものである。
【手続補正３】
【補正対象書類名】明細書
【補正対象項目名】０００９
【補正方法】変更
【補正の内容】
【０００９】
このように集水装置２に筒状体３の上端部を嵌め込むための上嵌め込み部６０を設け、該上嵌め込み部６０に上嵌め込み部６０に嵌め込んだ筒状体３に軒樋１の雨水を流すための内側通水用開口６１を設けると共に、上嵌め込み部６０の外側に軒樋１の雨水を筒状体３の外面側に流すための外側通水路６２を形成し、集水装置２で集めた雨水を主として外側通水路６２を経て筒状体３の上記上嵌め込み部６０への嵌め込み部分よりも下方において当該筒状体３の外周面に沿って流下させるので、軒樋１を流れる雨水を主として筒状体３の外周面に沿って流すと共に雨水の量が増えると筒状体３の内部にも流すことができ、これにより軒樋１を流れる雨水の量が増えても、確実に排水することができ、更に、軒樋１を流れる雨水の量が増えても、筒状体３の外周面に沿って流す雨水の量が多くなりすぎることがなく、筒状体３の外周面に沿って流下する雨水が多くなりすぎて飛散したり、あるいは、多くなりすぎて滑らかに流下しないといったことがなく、筒状体３の外周面に沿って流下する雨水の描く波紋の観賞効果が低下しないようにできる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００２０
【補正方法】変更
【補正の内容】
【００２０】
また、排水装置５の主体を構成する排水筒部３５の内周から内方に向かって複数の縦板状の内向き突部３７を突設し、該内向き突部３７の突出先端で囲まれた部分が筒状体３の下端部を嵌め込むための下嵌め込み部３８となり、上記複数の内向き突部の各先端が筒状体３の外周面に当接し、隣合う内向き突部３７間の間隔が排水筒部３５の内周側に行く程幅広となっていることが好ましい。
【手続補正７】
【補正対象書類名】明細書
【補正対象項目名】００２２
【補正方法】変更
【補正の内容】
【００２２】
また、排水装置５の主体を構成する排水筒部３５の内周から内方に向かって複数の縦板状の内向き突部３７を突設し、該内向き突部３７の突出先端で囲まれた部分が筒状体３の下端部を嵌め込むための下嵌め込み部３８となり、上記複数の内向き突部３７の各先端が筒状体３の外周面に当接し、内向き突部３７の上端面の断面形状を山形又は中央部が凸となった上向き弧状となると共に内向き突部３７の上端面が排水筒部３５の上端よりも下方に位置していることが好ましい。
【手続補正８】
【補正対象書類名】明細書
【補正対象項目名】００３０
【補正方法】変更
【補正の内容】
【００３０】
本発明は、上記のように、軒樋の雨水を集める集水装置と、筒状体よりなる縦樋と、下方で流下水を集めて排水管に排出させる排水装置とで構成する流水鑑賞雨樋装置であって、集水装置で集めた雨水を主として筒状体の外周面に沿って膜状として流下させると共に雨水の量が増えると筒状体の内部にも流すことができ、これにより軒樋を流れる雨水の量が増えても、確実に排水することができ、更に、軒樋を流れる雨水の量が増えても、筒状体の外周面に沿って流す雨水の量が多くなりすぎることがなく、筒状体の外周面に沿って流下する雨水が多くなりすぎて飛散したり、あるいは、多くなりすぎて滑らかに流下しないといったことがない。これにより、飛散を防止し且つ大量の雨水を流す箇所においても適用でき、従来にない筒状体の外周面に沿って流下する雨水の様子、特に、雨水の描く波紋を鑑賞することができる商品価値の高い流水鑑賞雨樋装置を提供できる。